(57)【要約】【課題】容量性タッチセンサパネルのタッチ検出能力を改善すること。【解決手段】タッチセンサパネルは、そのタッチ事象検出能力を改善するために改善するために接地ガード又は接地分離バーを使用する。接地分離バーは、近電界線を接地へとシャントし、接続トレースとセンス線との間の望ましからぬ容量性結合を減少するために接続トレースと隣接センス線との間に形成することができる。接地ガードは、センス線を部分的又は完全に取り巻いて近電界線を接地へとシャントし、且つセンサのタッチ事象検出能力を改善するために、ドライブ線とセンス線との間に形成することができる。【選択図】図４Ａ
2014139812.tif 000002
【特許請求の範囲】
【請求項１】
基板の１つの面に支持され、第１方向に沿って配設された複数の第１の線と、
前記複数の第１の線と同じ基板面に形成された複数の多角形エリアであって、少なくとも前記第１方向に沿って整列した多角形エリアの第１のグループと前記第１方向に沿って整列した多角形エリアの第２のグループとを形成する複数の多角形エリアと、
前記第１方向とは異なる、第２方向に沿って配設された複数のバス線と、
第１のトレースが第１のバスラインを、該第１のバスラインから最も遠い多角形エリアの前記第１のグループ内の多角形エリアに接続し、かつ、第２のトレースが、第２のバスラインを、該第２のバスラインに最も近い多角形エリアの第１のグループ内の多角形エリアに接続するように、多角形エリアの前記第１のグループを前記複数のバス線に結合するトレースの第１のグループと、
第３のトレースが第１のバスラインを、該第１のバスラインに最も近い多角形エリアの前記第２のグループ内の多角形エリアに接続し、かつ、第４のトレースが、第２のバスラインを、該第２のバスラインから最も離れた多角形エリアの第２のグループ内の多角形エリアに接続するように、多角形エリアの前記第２のグループを前記複数のバス線に結合するトレースの第２のグループと、
キャパシタンスを前記複数の第１の線へ結合することになる電界線をシャントするために前記複数の第１の線の１つ以上に隣接して形成された１つ以上の接地ガードと、
を備えた容量性タッチセンサパネル。
【請求項２】
前記１つ以上の接地ガードは、前記多角形エリアの第１のグループと前記トレースの第２のグループとの間に配設される、請求項１に記載のタッチセンサパネル。
【請求項３】
前記第１及び第２のバスラインは同じ平均インピーダンスを有する、請求項１に記載のタッチセンサパネル。
【請求項４】
コンピューティングシステム内に一体化された請求項１に記載のタッチセンサパネル。
【請求項５】
前記コンピューティングシステムが移動電話に一体化される、請求項４に記載のタッチセンサパネル。
【請求項６】
前記コンピューティングシステムがメディアプレーヤ内に一体化される、請求項４に記載のタッチセンサパネル。
【請求項７】
複数の第１の線を有する容量性タッチセンサパネルのタッチ検出能力を改善する方法において、
基板の１つの面に支持され、第１方向に沿って配設された前記複数の第１の線を形成し、
前記基板の前記複数の第１の線と同じ面上に、少なくとも前記第１方向に沿って整列した多角形エリアの第１のグループと前記第１方向に沿って整列した多角形エリアの第２のグループとを形成する、複数の多角形エリアを形成し、
前記第１方向とは異なる、第２方向沿って配設された複数のバスラインを提供し、
第１のトレースが第１のバスラインを、該第１のバスラインから最も遠い多角形エリアの前記第１のグループ内の多角形エリアに接続し、かつ、第２のトレースが、第２のバスラインを、該第２のバスラインに最も近い多角形エリアの第１のグループ内の多角形エリアに接続するように、第１のグループのトレースを介して前記多角形エリアの第１のグループを前記複数のバスラインに接続し、
第３のトレースが第１のバスラインを、該第１のバスラインに最も近い多角形エリアの前記第２のグループ内の多角形エリアに接続し、かつ、第４のトレースが、第２のバスラインを、該第２のバスラインから最も離れた多角形エリアの第２のグループ内の多角形エリアに接続するように、第２のグループのトレースを介して前記多角形エリアの第２のグループを前記複数のバスラインに接続し、
キャパシタンスを前記複数の第１の線へ結合することになる電界線をシャントするように１つ以上の前記第１の線に隣接した、１つ以上の接地ガードを形成することを含む、方法。
【請求項８】
前記１つ以上の接地ガードは前記第１のグループの多角形エリアと第２のグループのトレースとの間に配設されていることを特徴とする、請求項７に記載の方法。
【請求項９】
前記第１及び第２のバスラインは同じ平均インピーダンスを有する、請求項７に記載の方法。
【請求項１０】
タッチセンサパネルを含む移動電話において、
該タッチセンサパネルが、
基板の１つの面に支持され、第１方向に沿って配設された複数の第１の線と、
前記複数の第１の線と同じ基板面に形成された複数の多角形エリアであって、少なくとも前記第１方向に沿って整列した多角形エリアの第１のグループと前記第１方向に沿って整列した多角形エリアの第２のグループとを形成する複数の多角形エリアと、
前記第１方向とは異なる、第２方向に沿って配設された複数のバス線と、
第１のトレースが第１のバスラインを、該第１のバスラインから最も遠い多角形エリアの前記第１のグループ内の多角形エリアに接続し、かつ、第２のトレースが、第２のバスラインを、該第２のバスラインに最も近い多角形エリアの第１のグループ内の多角形エリアに接続するように、多角形エリアの前記第１のグループを前記複数のバス線に結合するトレースの第１のグループと、
第３のトレースが第１のバスラインを、該第１のバスラインに最も近い多角形エリアの前記第２のグループ内の多角形エリアに接続し、かつ、第４のトレースが、第２のバスラインを、該第２のバスラインから最も離れた多角形エリアの第２のグループ内の多角形エリアに接続するように、多角形エリアの前記第２のグループを前記複数のバス線に結合するトレースの第２のグループと、
キャパシタンスを前記複数の第１の線へ結合することになる電界線をシャントするために前記第１の線の１つ以上に隣接して形成された１つ以上の接地ガードと、
を含む、移動電話。
【請求項１１】
タッチセンサパネルを含むメディアプレーヤにおいて、
該タッチセンサパネルが、
基板の１つの面に支持され、第１方向に沿って配設された複数の第１の線と、
前記複数の第１の線と同じ基板面に形成された複数の多角形エリアであって、少なくとも前記第１方向に沿って整列した多角形エリアの第１のグループと前記第１方向に沿って整列した多角形エリアの第２のグループとを形成する複数の多角形エリアと、
前記第１方向とは異なる、第２方向に沿って配設された複数のバス線と、
第１のトレースが第１のバスラインを、該第１のバスラインから最も遠い多角形エリアの前記第１のグループ内の多角形エリアに接続し、かつ、第２のトレースが、第２のバスラインを、該第２のバスラインに最も近い多角形エリアの第１のグループ内の多角形エリアに接続するように、多角形エリアの前記第１のグループを前記複数のバス線に結合するトレースの第１のグループと、
第３のトレースが第１のバスラインを、該第１のバスラインに最も近い多角形エリアの前記第２のグループ内の多角形エリアに接続し、かつ、第４のトレースが、第２のバスラインを、該第２のバスラインから最も離れた多角形エリアの第２のグループ内の多角形エリアに接続するように、多角形エリアの前記第２のグループを前記複数のバス線に結合するトレースの第２のグループと、
キャパシタンスを前記複数の第１の線へ結合することになる電界線をシャントするために前記第１の線の１つ以上に隣接して形成された１つ以上の接地ガードと、
を含む、メディアプレーヤ。
【発明の詳細な説明】
【技術分野】
【０００１】
本発明は、一般的に、コンピューティングシステムの入力装置に係り、より詳細には、容量性タッチセンサパネルのタッチ検出能力の改善に係る。
【背景技術】
【０００２】
コンピューティングシステムにおいて操作を遂行するため、ボタン又はキー、マウス、トラックボール、タッチセンサパネル、ジョイスティック、タッチスクリーン、等の多数の形式の入力装置が現在利用できる。特に、タッチスクリーンは、操作が容易で多様性があり、価格も低下しているので、益々普及している。タッチスクリーンは、タッチ感知面をもつ透明パネルであるタッチセンサパネルを含むことができる。このタッチセンサパネルは、タッチ感知面がディスプレイスクリーンの視覚エリアをカバーするようにディスプレイスクリーンの前面に位置される。タッチスクリーンは、ユーザが指又はスタイラスを経てディスプレイスクリーンにタッチするだけで選択を行い、カーソルを移動できるようにする。一般に、タッチスクリーンは、ディスプレイスクリーン上でのタッチ及びタッチ位置を確認することができ、コンピューティングシステムは、タッチを解釈し、その後、タッチ事象に基づいてアクションを遂行することができる。
【発明の概要】
【発明が解決しようとする課題】
【０００３】
タッチセンサパネルは、複数のドライブ線（例えば、行）を複数のセンス線（例えば、列）上に交差させることで形成されたピクセルのアレイとして実施することができ、ドライブ線及びセンス線は、誘電体材料で分離される。あるタッチセンサパネルでは、基板の片側に行線及び列線を形成することができる。このようなタッチセンサパネルでは、遠近の両電界線が各ピクセルの行線と列線との間に結合され、遠電界線の幾つかが、ドライブ線及びセンス線を保護するカバーガラスを通過して一時的にそこから出る。タッチセンサパネル上又はその付近に指又は他の物体をタッチダウンすると、これらの出て来る遠電界線を接地へとシャントさせ、タッチ事象として検出できるピクセルの容量を変化させることができる。しかしながら、電界線のほとんどは、指でシャントすることができず、信号対雑音比（ＳＮＲ）が限定され、ピクセルのタッチ事象検出能力が低下される。
【課題を解決するための手段】
【０００４】
本発明は、単一又は複数のタッチ事象（１つ又は複数の指或いは他の物体をタッチ感知面の個別の位置にほぼ同時にタッチさせること）を検出するために基板の片側に製造されたタッチセンサのアレイを有するタッチセンサパネルであって、接地ガード又は接地分離バーを使用して、タッチセンサパネルのタッチ事象検出能力を改善するようなタッチセンサパネルに係る。各センサ又はピクセルは、ドライブ線とセンス線との間の相互作用の結果である。センス（又はドライブ）線は、第１方向に列又はジグザグパターンとして製造することができ、一方、ドライブ（又はセンス）線は、第２方向に多角形（例えば、レンガ状又は五角形）導電性エリアの行として製造することができる。特定のドライブ線を表す多角形エリアは、タッチセンサパネルのボーダーエリアに形成された特定のバス線へ引き回される接続トレースにより一緒に結合することができる。
【０００５】
導電性材料で形成されて接地又は別の基準電圧へ結合される接地分離バーを、接続トレースと隣接センス線との間に形成し、近電界線を接地へシャントすると共に、接続トレースとセンス線との間の望ましからぬ容量性結合を減少することができる。これも導電性材料で形成されて接地又は別の基準電圧へ結合される接地ガードを、ドライブ線とセンス線との間に形成して、センス線を部分的又は完全に取り巻き、近電界線を接地へとシャントし、センサのタッチ事象検出能力を改善することができる。
【発明の効果】
【０００６】
接地ガードを使用する１つの効果は、タッチセンサパネルのタッチ事象検出能力を改善することである。接地ガードは、タッチ事象によって影響を受けるほとんどの遠電界線をそのままにして、ほとんどの近電界線を、センス線へ結合できるようにするのではなく、接地へ直接的にシャントさせることにより、ドライブ線とセンス線との間の望ましからぬ相互キャパシタンスを減少することができる。ほとんどの遠電界線が相互キャパシタンス値に影響する状態では、タッチ事象中のキャパシタンスの変化が５０％に近付き、ＳＮＲの改善を表す。
【図面の簡単な説明】
【０００７】
【図１Ａ】本発明の実施形態によりレンガの列、行、及びレンガの片面のみに沿って引き回された接続トレースを含む規範的タッチセンサパネルを示す。
【図１Ｂ】図１Ａの規範的タッチセンサパネルの一部分の拡大図で、本発明の実施形態によりシングルエスケープ形態で接続トレースを使用してバス線へ引き回されたレンガを示す。
【図１Ｃ】本発明の実施形態により列Ｃ０及びＣ１に関連したレンガと、これらレンガをバス線に結合する接続トレースとを含む、図１Ａの規範的タッチセンサパネルの一部分を示す。
【図２Ａ】本発明の実施形態による接続トレースとバス線との間の接続を示す、規範的タッチセンサパネルの一部分の側面図である。
【図２Ｂ】本発明の実施形態による図２Ａの規範的バス線の一部分の頂面図である。
【図３】本発明の実施形態により接続トレースがインターリーブされたレンガの行を含む規範的タッチセンサパネルの一部分を示す。
【図４Ａ】本発明の実施形態によりレンガの列、行、及びレンガの両面に沿って引き回された接続トレースを含む規範的タッチセンサパネルを示す。
【図４Ｂ】図４Ａの規範的タッチセンサパネルの一部分の拡大図で、本発明の実施形態によりダブルエスケープ形態で接続トレースを使用して下部バス線へ引き回されたレンガを示す。
【図５Ａ】本発明の実施形態により導電性材料の多角形エリアから発せられる電界線に対する規範的接地ガードの作用を示す上面図及び側面図である。
【図５Ｂ】本発明の実施形態により導電性材料の多角形エリアから発せられる電界線に対する規範的接地ガードの作用を示す上面図及び側面図である。
【図５Ｃ】本発明の実施形態により接続トレースから発せられる電界線に対する規範的接地ガードの作用を示す上面図及び側面図である。
【図５Ｄ】本発明の実施形態により接続トレースから発せられる電界線に対する規範的接地ガードの作用を示す上面図及び側面図である。
【図５Ｅ】本発明の実施形態により多角形導電性エリアから発せられて、接続トレースによりセンス線から分離された電界線に対する規範的接地ガードの作用を示す上面図及び側面図である。
【図５Ｆ】本発明の実施形態により多角形導電性エリアから発せられて、接続トレースによりセンス線から分離された電界線に対する規範的接地ガードの作用を示す上面図及び側面図である。
【図６】本発明の実施形態により接続トレースと列との間の漂遊キャパシタンスを更に減少できる規範的ジグザグ二重補間型タッチセンサパネルの一部分を示す。
【図７】本発明の実施形態によるタッチセンサパネルで動作できる規範的コンピューティングシステムを示す。
【図８Ａ】本発明の実施形態によるタッチセンサパネルを含むことのできる規範的移動電話を示す。
【図８Ｂ】本発明の実施形態によるタッチセンサパネルを含むことのできる規範的メディアプレーヤを示す。
【発明を実施するための形態】
【０００８】
好ましい実施形態の以下の説明において、本発明を実施できる特定の実施形態を例示した添付図面を参照する。他の実施形態を使用することもできるし、本発明の範囲から逸脱せずに、構造上の変更をなし得ることを理解されたい。
【０００９】
本発明は、単一又は複数のタッチ事象（１つ又は複数の指或いは他の物体をタッチ感知面の個別の位置にほぼ同時にタッチさせること）を検出するために基板の片側に製造されたタッチセンサのアレイを有するタッチセンサパネルであって、接地ガード又は接地分離バーを使用して、タッチセンサパネルのタッチ事象検出能力を改善するようなタッチセンサパネルに係る。各センサ又はピクセルは、ドライブ線とセンス線との間の相互作用の結果である。センス（又はドライブ）線は、第１方向に列又はジグザグパターンとして製造することができ、一方、ドライブ（又はセンス）線は、第２方向に多角形（例えば、レンガ状又は五角形）導電性エリアの行として製造することができる。特定のドライブ線を表す多角形エリアは、タッチセンサパネルのボーダーエリアに形成された特定のバス線へ引き回される接続トレースにより一緒に結合することができる。
【００１０】
導電性材料で形成されて接地又は別の基準電圧へ結合される接地分離バーを、接続トレースと隣接センス線との間に形成し、近電界線を接地へシャントすると共に、接続トレースとセンス線との間の望ましからぬ容量性結合を減少することができる。これも導電性材料で形成されて接地又は別の基準電圧へ結合される接地ガードを、ドライブ線とセンス線との間に形成して、センス線を部分的又は完全に取り巻き、近電界線を接地へとシャントし、センサのタッチ事象検出能力を改善することができる。
【００１１】
センサパネルのタッチセンサは、ここでは、長方形レンガ(brick)又は五角形の行として形成されるドライブ線と、列又はジグザグパターンとして形成されるセンス線との一般的に直交する配列体に関して図示して説明するが、本発明の実施形態は、これに限定されず、他の形状の多角形エリア及び他のパターンで形成されたセンス線にも適用することができる。
【００１２】
図１Ａは、本発明の実施形態により多角形エリア（レンガ）１０２の列１０６及び行として形成されたセンス線（又はドライブ線）（Ｃ０−Ｃ５）を含む規範的タッチセンサパネル１００を示し、レンガの各行は、個別のドライブ線（又はセンス線）（Ｒ０−Ｒ７）を形成する。図１Ａの例において、接続トレース１０４は、レンガの片側のみに沿って引き回される（いわゆる「シングルエスケープ(single escape)」構成）。６列８行のタッチセンサパネル１００が示されているが、いかなる数の列及び行も使用できることを理解されたい。図１Ａの列１０６及びレンガ１０２は、導電性材料で共平面単層として形成できる。
【００１３】
特定の行のレンガ１０２を一緒に結合するために、これも導電性材料で形成される接続トレース１０４を、シングルエスケープ構成のレンガの片側に沿ってレンガから特定バス線１１０へ引き回すことができる。導電性材料で形成される接地分離バー１０８を、接続トレース１０４と隣接列１０６との間に形成して、接続トレースと列との間の容量性結合を減少することができる。各バス線１１０及び列１０６のための接続は、フレックス回路１１２を介してタッチセンサパネル１００から引き出すことができる。タッチスクリーンの実施形態では、センス線、ドライブ線、接続トレース及び接地分離バーは、インジウムスズ酸化物（ＩＴＯ）のような実質的に透明な材料で形成できるが、他の材料を使用することもできる。ＩＴＯ層は、カバーガラスの背面又は個別の基板に単層で形成することができる。
【００１４】
図１Ｂは、図１Ａの規範的タッチセンサパネル１００の一部分の拡大図であり、本発明の実施形態によりシングルエスケープ構成で接続トレース１０４を使用してレンガ１０２をバス線１１０にどのように引き回しできるかを示す。図１Ｂにおいて、長い接続トレース１０４（例えば、トレースＲ７）は、短い接続トレース（例えば、トレースＲ２）より巾が広く、トレースの全体的な抵抗率を等しくすると共に、ドライブ回路から見た全容量性負荷を最小にしている。
【００１５】
図１Ｃは、本発明の実施形態により列Ｃ０及びＣ１に関連したレンガ１０２と、レンガをバス線１１０に結合する接続トレース１０４（細い線として象徴的に示す）とを含む図１Ａの規範的タッチセンサパネル１００の一部分を示す。象徴的に示され、例示の目的で正しいスケールでない図１ｃの例では、バス線Ｂ０は、レンガＲ０Ｃ０（列Ｃ０に隣接するＢ０に最も近いレンガ）及びＲ０Ｃ１（列Ｃ１に隣接するＢ０に最も近いレンガ）に結合される。バス線Ｂ１は、レンガＲ１Ｃ０（列Ｃ０に隣接するＢ０に次に近いレンガ）及びＲ１Ｃ１（列Ｃ１に隣接するＢ０に次に近いレンガ）に結合される。他のバス線に対してこのパターンが繰り返され、バス線Ｂ７は、レンガＲ７Ｃ０（列Ｃ０に隣接するＢ０から最も遠いレンガ）及びＲ７Ｃ１（列Ｃ１に隣接するＢ０から最も遠いレンガ）に結合される。
【００１６】
図２Ａは、本発明の実施形態による規範的タッチセンサパネル２００の一部分の側面図であり、接続トレース２０４とバス線２１０との間の結合を示す。図２Ａにおいて、バス線２１０及びパッド２１８（例えば、抵抗値が最大１Ω／平方の金属）を基板２２０（例えば、厚みが５００ミクロン±５０ミクロンのガラス）上に形成することができる。次いで、絶縁層２１４（例えば、厚みが最低３ミクロンの有機ポリマー）をバス線２１０及びパッド２１８上に形成し、そしてビア２１６の形成のためにパターン化することができる。次いで、接続トレース２０４を絶縁層２１４の上及びビア２１６内へ形成して、トレースとバス線２１０との間に接続をなすことができる。更に、接続トレース２０４を形成するのに使用された同じ導電性材料を位置２２２においてパッド２１８上に形成して、パッドを保護することができる。基板２２０の背面では、導電性シールド層２２４（例えば、厚みが５０ミクロン±１０ミクロンのＩＴＯ）を基板２２０上に形成して、センス線（図２Ａには示さず）をシールドすることができる。次いで、ＰＳＡの２５ミクロン層のような接着剤を使用して、特定厚み（例えば、７５ミクロン±１５ミクロン）の反射防止（ＡＲ）膜２２６をシールド層２２４に添付することができる。導電性ボンドを形成することのできる接着剤２２８（例えば、非等方性導電性膜（ＡＣＦ））を使用して、タッチセンサパネル２００の頂部及び底部の両方にフレックス回路２１２を取り付けることができる。最終的に、タッチセンサパネル２００は、接着剤２３２（例えば、厚みが１５０ミクロン±２５ミクロンの低酸感圧接着剤（ＰＳＡ））を使用して、カバー材料２３０（例えば、厚みが８００ないし１１００ミクロンのガラス）に接合することができる。
【００１７】
図２Ｂは、本発明の実施形態による図２Ａの規範的バス線２１０の一部分の上面図である。図２Ｂの例では、ビア２１６がバス線２１０と接続トレースとの間に接続を与える点において上部バス線が巾広くなっている（例えば、１００ミクロン）ことに注意されたい。
【００１８】
再び図１Ｃの例を参照すれば、バス線Ｂ０は、バス線Ｂ７（及びレンガＲ７Ｃ０及びＲ７Ｃ１へのその接続トレース）に比して、レンガＲ０Ｃ０及びＲ０Ｃ１への接続トレース１０４が非常に短いので、バス線Ｂ７のインピーダンス及びキャパシタンスがバス線Ｂ０より相当に大きくなる。このアンバランスのため、所与の量のタッチに対するタッチ測定が、タッチセンサパネルにわたって等しくならない。それ故、本発明のある実施形態では、各バス線がより均一な平均インピーダンス及びキャパシタンスを見るように特定のバス線に結合されるレンガをインターリーブすることができ、これは、タッチセンサパネルにわたってタッチ測定を等しくする上で助けとなる。
【００１９】
図３は、本発明の実施形態により接続トレース３０４がインターリーブされるレンガ３０２として形成されたドライブ（又はセンス）線を含む規範的タッチセンサパネル３００の一部分を示す。象徴的に示され、明瞭化の目的で正しいスケールでない図３の例では、バス線Ｂ０は、レンガＲ０Ｃ０（列Ｃ０に隣接するＢ０に最も近いレンガ）及びＲ７Ｃ１（列Ｃ１に隣接するＢ０から最も遠いレンガ）に結合される。バス線Ｂ１は、レンガＲ１Ｃ０（列Ｃ０に隣接するＢ０に次に近いレンガ）及びＲ６Ｃ１（列Ｃ１に隣接するＢ０から次に遠いレンガ）に結合される。レンガＲ７Ｃ０（列Ｃ０に隣接するＢ０から最も離れたレンガ）及びＲ０Ｃ１（列Ｃ１に隣接するＢ０に最も近いレンガ）に結合されたバス線Ｂ７により明らかなように、この結合パターンが他のバス線に対して繰り返される。上述したように、特定バス線に結合されるレンガをインターリーブすることにより、各バス線は、より均一な平均インピーダンス及びキャパシタンスを見ることになり、タッチセンサパネルにわたりタッチ測定を等しくする上で助けとなる。しかしながら、この配列では、所与のバス線に対して、刺激されるレンガの位置が著しく変化することを理解されたい。それでも、それにより得られるタッチ映像の後処理で実際のタッチ位置を識別することができる。
【００２０】
インターリーブすることで、電力の均一性を更に高めることができる。インターリーブしないと、あるドライバは、容量性負荷が小さくなり、一方、他のドライバは、容量性負荷が大きくなる。最大の負荷を適切に駆動できるように保証するために、全てのドライバは、最大の容量性負荷を駆動するよう設計され、その結果、全てのドライバが大きな負荷で駆動されなくても、全てのドライバに対する電流要件が高いものとなる。しかしながら、インターリーブすることで、各ドライバは、より適度でほぼ等しい容量性負荷をもつことになり、適度な容量性負荷を駆動するよう設計するだけでよくなる。
【００２１】
図４Ａは、本発明の実施形態により列４０６として形成されたセンス（又はドライブ）線、レンガ４０２の行として形成されたドライブ（又はセンス）線、及びレンガの両側に沿って（いわゆる「ダブルエスケープ」構成で）引き回された接続トレース４０４（細い線として象徴的に示す）を含む規範的タッチセンサパネル４００を示す。図４ａの例では、センス（又はドライブ）線（Ｃ０−Ｃ３）は、列４０６として形成することができ、ドライブ（又はセンス）線（Ｒ０−Ｒ７）は、レンガ４０２の行として形成することができ、レンガの各行は、個別のドライブ（又はセンス）線を形成する。４列８行のタッチセンサパネル４００が示されているが、いかなる数の列及び行も使用できることを理解されたい。図４Ａの列４０６及びレンガ４０２は、導電性材料の共平面単層で形成することができる。
【００２２】
特定行のレンガ４０２を一緒に結合するために、これも導電性材料から形成された接続トレース４０４を、レンガからレンガの交互の側面に沿ってダブルエスケープ構成で特定の下部バス線４１０又は上部バス線４１４へ引き回すことができる（が、他の実施形態では、上部又は下部のいずれかにおいてバス線の単一グループだけを使用してもよいことを理解されたい）。導電性材料で形成された接地ガード４１６を接続トレース４０４と隣接列４０６との間に形成することができる。下部バス線４１０及び上部バス線４１４、並びに列４０６に対する接続トレースは、ボーダーエリアに沿って引き回し、そしてタッチセンサパネル４００からフレックス回路を通して引き出すことができる。
【００２３】
図４Ｂは、図４Ａの規範的タッチセンサパネル４００の一部分の拡大図であり、本発明の実施形態によりダブルエスケープ構成で接続トレース４０４を使用してレンガ４０２を下部バス線４１０へどのように引き回せるかを示す。図４Ｂの例では、接続トレース４０４−Ｒ０−Ｅを下部バス線４１０へ直接引き回すことができ、接続トレース４０４−Ｒ１−ＥをレンガＲ０−Ｅの右側に沿って引き回すことができ、接続トレース４０４−Ｒ２−ＥをレンガＲ０−Ｅ及びＲ１−Ｅの左側に沿って引き回すことができ、そして接続トレース４０４−Ｒ３−Ｅをダブルエスケープ構成でレンガＲ０−Ｅ、Ｒ１−Ｅ及びＲ２−Ｅ（図示せず）の右側に沿って引き回すことができる。
【００２４】
図４Ｂの相互キャパシタンスダブルエスケープ実施形態では、各ピクセルを列と２つの隣接レンガとの間の相互キャパシタンスによって特徴付けることができる。例えば、Ｒ０−Ｃ３に対するピクセル又はセンサは、レンガＲ０−ＤとＣ３との間の相互キャパシタンス４１８、及びレンガＲ０−ＥとＣ３との間の相互キャパシタンス４２０により形成することができる。
【００２５】
上述したように、任意の接地ガードを図４Ａ及び４Ｂにおける各列の周りに形成できると共に、図１Ａ、１Ｂ、１Ｃ及び３における各列の周りにも形成できる。一実施形態では、列は、ほぼ１０００ミクロン巾であり、そして接地ガードは、ほぼ２５０ミクロン巾である。接地ガードを使用する１つの利点は、タッチセンサパネルのタッチ事象検出能力を改善することである。
【００２６】
図５Ａ及び５Ｂは、本発明の実施形態による導電性材料の多角形エリア５０２に対する規範的接地ガード５００の作用の上面図及び側面図である。
【００２７】
図５Ａは、接地ガードをもたない例を示す。導電性材料５０２又は列５０４のいずれかの多角形エリアが刺激信号により駆動されると、多角形エリア５０２と列５０４との間にフリンジ電界線５０６が現れる。側面図に示すように、ある電界線がプロセス中にカバーガラス５０８から一時的に出ることができる。電界線５０６は、近電界線５１０を含み、これは、一般的に、カバーガラス５０８を出ず、それ故、カバーガラス上又はその付近に現れる指による影響をほぼ受けない。例えば、近電界線５１０は、約２．４ｐＦの漂遊キャパシタンスＣｓｉｇを発生するが、タッチ事象中の漂遊キャパシタンスの変化ΔＣｓｉｇは、約０．０５ｐｆに過ぎず、これは、約２％の小さな変化である。又、電界線５０６は、遠電界線５１２も含み、その若干がカバーガラス５０６から一時的に出て、指で阻止される。近電界線５１０とは対照的に、遠電界線５１２は、約０．６ｐＦのＣｓｉgを発生するが、タッチ事象中に約０．３ｐＦの漂遊キャパシタンスの変化ΔＣｓｉｇを受け、これは、約５０％の非常に大きな変化である。この大きな変化は、優れた信号対雑音比（ＳＮＲ）及び改善されたタッチ事象検出を表すものである。
【００２８】
しかしながら、近電界線５１０及び遠電界線５１２の両方が存在するので、いずれかの多角形導電性エリア５０２又は列５０４が刺激されたときには、前記例で発生される合計Ｃｓｉｇが約３．０ｐＦであり、そしてタッチ事象中の漂遊キャパシタンスの全変化ΔＣｓｉｇが約０．３５ｐＦであり、これは、約１０％の変化しか表さない。タッチ事象中の漂遊キャパシタンスのパーセント変化を最大にするために、タッチ事象により影響されない相互キャパシタンスの量（即ち、近電界線５１０）を最小にし、タッチ事象により変化を受ける相互キャパシタンス（即ち、遠電界線５１２）にできるだけ大きく依存するようにすることが望まれる。
【００２９】
図５Ｂは、接地ガード５００を伴う例を示す。図５Ｂに示すように、接地ガード５００は、タッチ事象により影響を受けるほとんどの遠電界線５１２をそのままにして、ほとんどの近電界線５１０を、センス線５０４に結合できるようにするのではなく、直接接地へシャントさせることにより、ドライブ線とセンス線との間の望ましからぬ相互キャパシタンスを減少することができる。ほとんどの遠電界線５１２が相互キャパシタンス値に影響する状態では、タッチ事象中のキャパシタンスの変化が上述したように５０％に接近し、ＳＮＲの改善を表す。
【００３０】
図５Ｃ及び５Ｄは、本発明の実施形態による接続トレース５１４に対する規範的接地ガード５００の作用を示す上面図及び側面図である。図５Ｃは、接地ガードをもたない例を示す。接続トレース５１４は、多角形の導電性エリアに結合できるので、これも刺激信号で駆動することができる。図５Ｃに示すように、接地ガードがない状態では、近電界線５１０を隣接センス線５０４に結合させて、センス線に意図されないキャパシタンス変化を生じさせる。しかしながら、図５Ｄに示すように、接地ガード５００が配置されると、近電界線５１０を、センス線５０４ではなく、接地ガードへシャントさせて、センス線における意図されないキャパシタンス変化を減少させることができる。
【００３１】
図５Ｅ及び５Ｆは、本発明の実施形態により接続トレース５１４によってセンス線５０４から分離された多角形の導電性エリア５０２に対する規範的接地ガード５００の作用を示す上面図及び側面図である。図５Ｅに示すように、接地ガードがないと、タッチ事象が生じたときに、近電界線５１０がセンス線５０４に結合され、センス線におけるパーセントキャパシタンス変化を減少させる。しかしながら、図５Ｆに示すように、接地ガード５００が配置されると、タッチ事象が生じたときに、タッチ事象の影響を受けるほとんどの遠電界線５１２をそのままにして、近電界線５１０を、センス線５０４ではなく、接地ガードへシャントさせ、センス線におけるパーセントキャパシタンス変化を増加させることができる。
【００３２】
再び図１Ａを参照すると、上述した接地分離バーは、接続トレースとセンス線との間の漂遊キャパシタンスＣｓｉｇの量を最小にすることができる。それでも、トレースを非常に長く引き回す場合、約６ｐＦ程度のＣｓｉｇが接続トレースからセンス線へ転送され、ダイナミックレンジバジェットを減少すると共に、校正を困難にする。接続トレースからセンス線への漂遊容量は、タッチ事象によりある程度影響を受けるので、タッチセンサパネルの１つの領域でのタッチ事象が、更に、パネルの離れたエリアにおいて漂遊キャパシタンスの減少及び見掛け上の（しかし偽の）タッチ事象を引き起こすという空間的クロス結合を生じさせる。
【００３３】
図６は、本発明の実施形態により接続トレースとセンス線との間の漂遊キャパシタンスを更に減少できる規範的なジグザグダブル補間型タッチセンサパネル６００の一部分を示す。図６の例において、ドライブ（又はセンス）線を表す多角形エリア６０２は、一般的に、五角形で、向きが食い違っており、パネルの端末付近の幾つかのレンガは、切断された五角形である。センス（又はドライブ）線６０４は、ジグザグ形状であり、センス（又はドライブ）線と五角形６０２との間に接地ガード６０６がある。全ての接続トレース６０８は、五角形６０２間のチャンネル６１０に引き回される。相互キャパシタンス実施形態では、各ピクセル又はセンサは、五角形と隣接センス（又はドライブ）線６０４との間に形成される電界線６１６によって特徴付けられる。接続トレース６０８は、センス（又はドライブ）線６０４に沿って延びず、むしろ、五角形６０２間に延びるので、接続トレース６０８とセンス（又はドライブ）線６０４との間の漂遊キャパシタンスが最小にされ、空間的クロス結合も最小にされる。手前のものでは、接続トレース６０８とセンス（又はドライブ）線６０４との間の距離は、接地ガード６０６の巾に過ぎなかったが、図６の実施形態では、この距離は、接地ガードの巾と、五角形６０２の巾（その形状の長さに沿って変化する）との和になる。
【００３４】
図６の例に示すように、タッチセンサパネルの端末における行Ｒ１４の五角形は、切頭することができる。従って、Ｒ１４に対するタッチの計算された中心６１２は、それらの真の位置からｙ方向にオフセットすることができる。更に、２つの隣接する行に対するタッチの計算された中心は、オフセット距離だけｘ方向に食い違うことになる（互いにオフセットされる）。しかしながら、この不整列は、ピクセルを再マップして歪を除去するためにソフトウェアアルゴリズムでデワープ(de-warp)することができる。
【００３５】
本発明の実施形態は、ここでは、相互キャパシタンスタッチセンサパネルに関して主として説明したが、本発明の実施形態は、自己キャパシタンスタッチセンサパネルにも適用できることを理解されたい。このような実施形態では、基準の接地平面を、基板の背面に形成することもできるし、多角形エリア及びセンス線と同じ基板面に誘電体により多角形エリア及びセンス線から分離して形成することもできるし、或いは個別の基板に形成することもできる。自己キャパシタンスタッチセンサパネルでは、各ピクセル又はセンサは、指の存在によって変化する基準接地点に対する自己キャパシタンスを有する。
【００３６】
図７は、上述した本発明の１つ以上の実施形態を含むことのできる規範的コンピューティングシステム７００を示す。このコンピューティングシステム７００は、１つ以上のパネルプロセッサ７０２及び周辺装置７０４と、パネルサブシステム７０６とを備えている。周辺装置７０４は、ランダムアクセスメモリ（ＲＡＭ）又は他の形式のメモリ又は記憶装置、ウオッチドッグタイマー、等を含むが、これに限定されない。パネルサブシステム７０６は、１つ以上のセンスチャンネル７０８、チャンネルスキャンロジック７１０、及びドライバロジック７１４を含むが、これに限定されない。チャンネルスキャンロジック７１０は、ＲＡＭ７１２にアクセスし、センスチャンネルからデータを自律的に読み取り、そしてセンスチャンネルを制御することができる。更に、チャンネルスキャンロジック７１０は、タッチセンサパネル７２４のドライブ線に選択的に適用できる刺激信号７１６を種々の周波数及び位相で発生するようにドライバロジック７１４を制御することができる。ある実施形態では、パネルサブシステム７０６、パネルプロセッサ７０２、及び周辺装置７０４は、単一の特定用途向け集積回路（ＡＳＩＣ）へ一体化することができる。
【００３７】
タッチセンサパネル７２４は、複数のドライブ線及び複数のセンス線を有する容量性感知媒体を含むことができるが、他の感知媒体も使用できる。相互キャパシタンスの実施形態では、ドライブ線とセンス線の各交点が容量性感知ノードを表し、タッチセンサパネル７２４がタッチの「映像」を捕獲するものとみなされるときに特に有用である画素（ピクセル）７２６とみなすことができる。換言すれば、タッチセンサパネルの各タッチセンサにおいてタッチ事象が検出されたかどうかをパネルサブシステム７０６が決定した後に、タッチ事象が生じたマルチタッチパネルにおけるタッチセンサのパターンは、タッチの「映像」（例えば、パネルにタッチする指のパターン）とみなすことができる。タッチセンサパネル７２４の各センス線は、パネルサブシステム７０６のセンスチャンネル７０８（ここでは、事象検出及び復調回路とも称される）に結合することができる。
【００３８】
又、コンピューティングシステム７００は、パネルプロセッサ７０２から出力を受け取りそしてその出力に基づいてアクションを遂行するためのホストプロセッサ７２８を含むこともでき、そのアクションは、カーソル又はポインタのような物体を移動し、スクロール又はパンし、制御設定を調整し、ファイル又はドキュメントをオープンし、メニューを見、選択を行い、インストラクションを実行し、ホスト装置に結合された周辺装置を操作し、電話コールに応答し、電話コールを発信し、電話コールを終了し、音量又は音声設定を変更し、住所、頻繁にダイヤルされる番号、受けたコール、逃したコールのような電話通信に関する情報を記憶し、コンピュータ又はコンピュータネットワークにログオンし、コンピュータ又はコンピュータネットワークの限定されたエリアへの許可された個々のアクセスを許し、コンピュータデスクトップのユーザの好ましい配列に関連したユーザプロフィールをロードし、ウェブコンテンツへのアクセスを許し、特定のプログラムを起動し、メッセージを暗号化又は解読し、等々を含むが、これらに限定されない。又、ホストプロセッサ７２８は、パネル処理に関連しない付加的な機能を遂行することもでき、そしてプログラム記憶装置７３２と、装置のユーザへＵＩを与えるためのＬＣＤディスプレイのようなディスプレイ装置７３０とに結合することができる。ディスプレイ装置７３０は、タッチセンサパネル７２４のもとに一部分又は完全に位置されたときに、そのタッチセンサパネルと共に、タッチスクリーン７１８を形成することができる。
【００３９】
上述した１つ以上の機能は、メモリ（図７の周辺装置７０４の１つ）に記憶されたファームウェアにより遂行され、パネルプロセッサ７０２により実行され、或いはプログラム記憶装置７３２に記憶され且つホストプロセッサ７２８により実行されることに注意されたい。又、ファームウェアは、インストラクション実行システム、装置又はデバイス、例えば、コンピュータベースのシステム、プロセッサ収容システム、或いはそのインストラクション実行システム、装置又はデバイスからインストラクションをフェッチしてインストラクションを実行できる他のシステムにより使用するために、又はそれに関連して使用するために、コンピュータ読み取り可能な媒体内に記憶し及び／又は搬送することもできる。本書において、「コンピュータ読み取り可能な媒体」とは、インストラクション実行システム、装置又はデバイスにより又はそれに関連して使用するためのプログラムを収容し又は記憶することのできる媒体である。コンピュータ読み取り可能な媒体は、電子、磁気、光学、電磁、赤外線、又は半導体システム、装置又はデバイス、ポータブルコンピュータディスケット（磁気）、ランダムアクセスメモリ（ＲＡＭ）（磁気）、リードオンリメモリ（ＲＯＭ）（磁気）、消去可能なプログラマブルリードオンリメモリ（ＥＰＲＯＭ）（磁気）、ポータブル光学ディスク、例えば、ＣＤ、ＣＤ−Ｒ、ＣＤ−ＲＷ、ＤＶＤ、ＤＶＤ−Ｒ、又はＤＶＤ−ＲＷ、或いはフラッシュメモリ、例えば、コンパクトフラッシュ（登録商標）カード、セキュアなデジタルカード、ＵＳＢメモリデバイス、メモリスティック、等を含むが、これに限定されない。
【００４０】
又、ファームウェアは、インストラクション実行システム、装置又はデバイス、例えば、コンピュータベースのシステム、プロセッサ含有システム、又はそれらインストラクション実行システム、装置又はデバイスからインストラクションをフェッチしてインストラクションを実行することができる他のシステムにより使用するために、又はそれらに関連して使用するために、トランスポート媒体内で搬送することもできる。本書において、「トランスポート媒体」とは、インストラクション実行システム、装置又はデバイスにより使用するために、又はそれに関連して使用するために、プログラムを通信し、伝播し又は搬送することのできる媒体である。読み取り可能なトランスポート媒体は、電子、磁気、光学、電磁、或いは赤外線のワイヤード又はワイヤレス伝播媒体を含むが、これに限定されない。
【００４１】
図８Ａは、タッチセンサパネル８２４及びディスプレイ装置８３０を含むことのできる規範的移動電話８３６を示し、タッチセンサパネルは、本発明の実施形態により上述したように形成される行及び列を有する。
【００４２】
図８Ｂは、タッチセンサパネル８２４及びディスプレイ装置８３０を含むことのできる規範的デジタルメディアプレーヤ８４０を示し、タッチセンサパネルは、本発明の実施形態により上述したように形成される行及び列を有する。
【００４３】
図８Ａ及び８Ｂの移動電話及びメディアプレーヤは、好都合にも、上述したタッチセンサパネルから利益を得ることができる。というのは、タッチセンサパネルは、これら装置を、タッチにより敏感で、より薄く、且つより安価なものにすることができ、これらは、消費者の希望及び商業的成功に対して顕著な効果をもたらす重要な消費者ファクタだからである。
【００４４】
以上、添付図面を参照して、本発明の実施形態を詳細に説明したが、当業者であれば、種々の変更や修正が明らかであろう。このような変更や修正は、特許請求の範囲に規定された本発明の範囲内に包含されると理解されたい。
【符号の説明】
【００４５】
１００：タッチセンサパネル
１０２：レンガ
１０４：接続トレース
１０６：列
１０８：接地バー
１１０：金属バス線
１１２：フレックス回路
２００：タッチセンサパネル
２０４：接続トレース
２１０：バス線
２１４：絶縁層
２１６：ビア
２１８：パッド
２２０：基板
２２４：導電性シールド層
２２６：反射防止膜
２２８：接着剤
３００：タッチセンサパネル
３０２：レンガ
３０４：接続トレース
４００：タッチセンサパネル
４０２：レンガ
４０４：接続トレース
４０６：列
４１０、４１４：バス線
４１６：接地ガード
４１８、４２０：相互キャパシタンス
５００：接地ガード
５０２：導電性材料の多角形エリア
５０４：列
５０６：電界線
５０８：カバーガラス
５１０：近電界線
５１２：遠電界線
６００：タッチセンサパネル
６０２：五角形
６０６：接地ガード
６０８：接続トレース
６１０：チャンネル
６１２：タッチの計算された中心
６１６：電界線
７００：コンピューティングシステム
【図１Ａ】
2014139812.tif 000003
【図１Ｂ】
2014139812.tif 000004
【図１Ｃ】
2014139812.tif 000005
【図２Ａ】
2014139812.tif 000006
【図２Ｂ】
2014139812.tif 000007
【図３】
2014139812.tif 000008
【図４Ａ】
2014139812.tif 000009
【図４Ｂ】
2014139812.tif 000010
【図５Ａ】
2014139812.tif 000011
【図５Ｂ】
2014139812.tif 000012
【図５Ｃ】
2014139812.tif 000013
【図５Ｄ】
2014139812.tif 000014
【図５Ｅ】
2014139812.tif 000015
【図５Ｆ】
2014139812.tif 000016
【図６】
2014139812.tif 000017
【図７】
2014139812.tif 000018
【図８Ａ】
2014139812.tif 000019
【図８Ｂ】
2014139812.tif 000020
【外国語明細書】
2014139812000001.pdf